(57)【要約】【課題】施工が容易で、工期を短縮することができる廻り階段用壁材および廻り階段構造を提供する。【解決手段】３枚の外側壁板１１，１２，１３が、コーナーとなる縁部１８で折り曲げ可能に接続されている。各外側壁板１１，１２，１３は、シート材１７が縁部１８を挟んで各外側壁板１１，１２，１３の室外側に貼り付けられることにより、各外側壁板１１，１２，１３が平面をなす角度から直角をなす角度まで縁部１８で折り曲げ可能に接続されている。３枚の支持板１４，１５，１６が、各外側壁板１１，１２，１３の室内側に貼り付けられている。各支持板１４，１５，１６は、複数の踏板４のうちのいずれかの踏板４の端部を支持するための支持部１４ｅ，１５ｅ，１６ｅを有している。各支持部１４ｅ，１５ｅ，１６ｅは、各支持板１４，１５，１６の上端部１４ｄ，１５ｄ，１６ｄに、いずれかの踏板４の端部を支持する段差を形成して成っている。【選択図】図１
2008127921.tif 000002
【特許請求の範囲】
【請求項１】
コーナーとなる縁部で折り曲げ可能に接続された２枚または３枚の壁板と、
複数の踏板のうちのいずれかの踏板の端部を支持するための支持部を有して各壁板の室内側に貼り付けられた支持板とを、
有することを特徴とする廻り階段用壁材。
【請求項２】
各壁板はシート材が前記縁部を挟んで各壁板の室外側に貼り付けられることにより各壁板が平面をなす角度から直角をなす角度まで前記縁部で室内側に折り曲げ可能でかつ室外側に折り曲げて折畳み可能に接続されており、前記支持部は前記支持板の上端部に前記いずれかの踏板の端部を支持する段差を形成して成ることを、特徴とする請求項１記載の廻り階段用壁材。
【請求項３】
請求項１または２記載の廻り階段用壁材と、複数の踏板と、踏板支持材とを有し、
各壁板は前記縁部で直角をなす角度に折り曲げられ、前記支持部で各踏板の一端を支持し、前記踏板支持材で各踏板の他端を支持して成ることを、
特徴とする廻り階段構造。
【請求項４】
請求項１または２記載の廻り階段用壁材の各壁板を前記縁部で直角をなす角度に折り曲げて設置し、複数の踏板の一端を前記支持部で支持し、各踏板の他端を踏板支持材で支持することを、
特徴とする廻り階段施工方法。
【発明の詳細な説明】
【技術分野】
【０００１】
本発明は、廻り階段用壁材、廻り階段構造および廻り階段施工方法に関する。
【背景技術】
【０００２】
戸建て、特に木造住宅において、廻り階段部分の施工は、大工工事として大工職人の腕が試される部位であり、工期も２日程を要するのが通常である。従来の折り返し階段、かね折れ階段などの廻り階段の構造として、踏み板を支持するために、縦方向の部材と横方向の部材とを組み合わせた受け具を使用する構造（例えば、特許文献１参照）や、側方の支持板や踏板、蹴込み板をあらかじめ形成しておき、現場で組み立てるユニット構造（例えば、特許文献２参照）がある。
【０００３】
【特許文献１】特開平７−２９２９１６号公報
【特許文献２】特開２００３−２７８３４２号公報
【発明の開示】
【発明が解決しようとする課題】
【０００４】
しかしながら、廻り階段部分は、形状を変えながら高さが変わる複雑な構造を有しているため、特許文献１および２に記載の構造であっても、施工に熟練を要し、従来通りの工期を要するという課題があった。
【０００５】
本発明は、このような課題に着目してなされたもので、施工が容易で、工期を短縮することができる廻り階段用壁材、廻り階段構造および廻り階段施工方法を提供することを目的とする。
【課題を解決するための手段】
【０００６】
上記目的を達成するために、本発明に係る廻り階段用壁材は、コーナーとなる縁部で折り曲げ可能に接続された２枚または３枚の壁板と、複数の踏板のうちのいずれかの踏板の端部を支持するための支持部を有して各壁板の室内側に貼り付けられた支持板とを、有することを特徴とする。
【０００７】
本発明に係る廻り階段用壁材は、廻り階段を施工するために、以下のようにして使用される。まず、各壁板を縁部で直角をなす角度に折り曲げて、廻り階段の施工位置に合わせて設置する。次に、複数の踏板の端部を支持板の支持部で支持し、各踏板を取り付ける。このように、踏板の支持部を有する支持板が各壁板に貼り付けられているため、壁板の施工により踏板を容易に位置決めして取り付けることができ、廻り階段の施工が容易である。このため、廻り階段の施工に熟練を要さず、また、廻り階段施工の工期を短縮することができる。さらに、支持板の上端部を支持部とすることにより、支持部の加工が容易である。
支持板は、１枚でも複数枚でもよいが、各壁板がコーナーとなる縁部で折れ曲がるのを妨げないように壁板に貼り付けられている。
【０００８】
本発明に係る廻り階段用壁材で、各壁板はシート材が前記縁部を挟んで各壁板の室外側に貼り付けられることにより各壁板が平面をなす角度から直角をなす角度まで前記縁部で室内側に折り曲げ可能でかつ室外側に折り曲げて折畳み可能に接続されており、前記支持部は前記支持板の上端部に前記いずれかの踏板の端部を支持する段差を形成して成ることが好ましい。この場合、各壁板を縁部で折り畳んで運搬を容易にすることができる。また、段差に合わせて支持板の上端部の支持部に各踏板の端部を載せることにより、各踏板をその設置位置に位置決めして取り付けることができる。
【０００９】
なお、各壁板は平面をなす角度から直角をなす角度まで折り曲げ可能であれば、それ以上の角度に折り曲げ可能であってもよい。シート材は、各壁板を接続する強度をもつ素材から成り、特に、アラミド樹脂繊維から成ることが好ましい。また、各壁板は平坦な長方形状で、その下端縁部はコーナーとなる縁部に垂直であることが好ましい。この場合、各壁板の下端縁部の設置位置を決めることにより、各踏板の設置位置が自動的に決まるため、さらに容易に施工することができる。また、支持部は、支持板の上端部に踏板の端部を支持する段差を形成して成るため、加工が容易である。
【００１０】
本発明に係る廻り階段構造は、本発明に係る廻り階段用壁材と、複数の踏板と、踏板支持材とを有し、各壁板は前記縁部で直角をなす角度に折り曲げられ、前記支持部で各踏板の一端を支持し、前記踏板支持材で各踏板の他端を支持して成ることを、特徴とする。
【００１１】
本発明に係る廻り階段構造は、以下のようにして施工される。まず、本発明に係る廻り階段用壁材の各壁板を縁部で直角をなす角度に折り曲げて、廻り階段の施工位置に合わせて施工する。次に、複数の踏板の端部を支持板の支持部で支持し、各踏板を取り付ける。このように、廻り階段用壁材は踏板の支持部を有する支持板が各壁板に貼り付けられているため、壁板の施工により踏板を容易に位置決めして取り付けることができ、廻り階段の施工が容易である。このため、廻り階段の施工に熟練を要さず、また、廻り階段施工の工期を短縮することができる。さらに、支持板の上端部を支持部とすることにより、支持部の加工が容易である。また、各壁板が室外側に折り曲げて折畳み可能に接続されている場合には、各壁板を縁部で折り畳んで廻り階段用壁材の運搬を容易にすることができる。
本発明に係る廻り階段構造は、外側用および内側用の２種類の廻り階段用壁材を準備しておくことにより、さらに施工を容易にすることができる。この場合、２種類の廻り階段用壁材のうち一方の廻り階段用壁材の支持板が、踏板支持材を構成する。
【００１２】
本発明に係る廻り階段施工方法は、前述の本発明に係る廻り階段用壁材の各壁板を前記縁部で直角をなす角度に折り曲げて設置し、複数の踏板の一端を前記支持部で支持し、各踏板の他端を踏板支持材で支持することを、特徴とする。
本発明に係る廻り階段施工方法では、このように、廻り階段用壁材は踏板の支持部を有する支持板が各壁板に貼り付けられているため、壁板の施工により踏板を容易に位置決めして取り付けることができ、廻り階段の施工が容易である。このため、廻り階段の施工に熟練を要さず、また、廻り階段施工の工期を短縮することができる。また、支持板の上端部を支持部とすることにより、支持部の加工が容易である。さらに、各壁板が室外側に折り曲げて折畳み可能に接続されている場合には、各壁板を縁部で折り畳んで廻り階段用壁材の運搬を容易にすることができる。
【発明の効果】
【００１３】
本発明によれば、施工が容易で、工期を短縮することができる廻り階段用壁材、廻り階段構造および廻り階段施工方法を提供することができる。
【発明を実施するための最良の形態】
【００１４】
以下、図面に基づき、本発明の実施の形態について説明する。
図１乃至図３は、本発明の実施の形態の廻り階段用壁材および廻り階段構造を示している。
図１に示すように、廻り階段構造１は、廻り階段用壁材２と内側壁材３と複数の踏板４とを有している。廻り階段構造１は、昇降する際に１８０度向きを変えるよう構成されている。
【００１５】
廻り階段用壁材２は、３枚の外側壁板１１，１２，１３と３枚の支持板１４，１５，１６とを有している。各外側壁板１１，１２，１３は、矩形状を成し、中央の外側壁板１１の両側に、それぞれ外側壁板１２，１３が配置されている。各外側壁板１１，１２，１３は、外側壁板１１と外側壁板１２との境界となる縁部１８，１８、外側壁板１１と外側壁板１３との境界となる縁部１８，１８に沿って、それぞれを接続するようアラミド樹脂繊維から成るシート材１７が貼り付けられている。シート材１７は、各外側壁板１１，１２，１３の室外側（裏側）に貼り付けられている。これにより、各外側壁板１１，１２，１３は、コーナーとなる縁部１８，１８で室内側（表側）に折り曲げ可能でかつ室外側に折り曲げて折畳み可能となっている。また、各外側壁板１１，１２，１３は、シート材１７が縁部１８を挟んで貼り付けられている。なお、各外側壁板１１，１２，１３は、それぞれの下端縁部が縁部１８に垂直な同一平面上になるよう形成されている。
【００１６】
図１および図３に示すように、中央の外側壁板１１は、縁部１８の両端面１１ａが室内側に向くよう室外側の面１１ｂに対して４５度で傾斜して形成されている。また、各外側壁板１２，１３は、縁部１８の端面１２ａ，１３ａが室内側に向くよう室外側の面１２ｂ，１３ｂに対して４５度で傾斜して形成されている。これにより、各外側壁板１１，１２，１３は、それぞれが平面をなす角度から、中央の外側壁板１１に対して各外側壁板１２，１３が直角をなす角度まで室内側に折り曲げ可能になっている。各外側壁板１１，１２，１３は、中央の外側壁板１１の室外側の面１１ｂの上に重なるよう室外側に折り曲げ可能になっている。
【００１７】
図２に示すように、各支持板１４，１５，１６は、所定の厚さを有し、それぞれ各外側壁板１１，１２，１３の室内側に接着剤または釘等で貼り付けられている。中央の支持板１４は、中央の外側壁板１１の幅よりやや短い幅で壁板１１の範囲に収まる大きさであり、下部側縁１４ａおよび両端縁１４ｂ，１４ｃが直線状に形成されている。支持板１４は、上端部１４ｄに複数の支持部１４ｅを有している。支持部１４ｅは、支持板１４の上端部１４ｄに形成された複数の段差から成る。各段差は、支持板１４の下部側縁１４ａからの高さが支持板１６の側から支持板１５の側に向かって段々に低くなっている。支持板１４は、各支持部１４ｅが下部側縁１４ａと平行を成している。
【００１８】
支持板１５は、所定の長さを有し、下部側縁１５ａおよび両端縁１５ｂ，１５ｃが直線状に形成されている。支持板１５は、上端部１５ｄに複数の支持部１５ｅを有している。支持部１５ｅは、支持板１５の上端部１５ｄに形成された複数の段差から成る。各段差は、支持板１５の下部側縁１５ａからの高さが支持板１４の側からその反対側に向かって段々に低くなっている。支持板１５は、各支持部１５ｅが下部側縁１５ａと平行を成している。支持板１５は、最も高い支持部１５ｅが、支持板１４の最も低い支持部１４ｅの高さと同じ高さとなっている。支持板１６は、矩形状を成している。支持板１６は、上端部１６ｄが支持部１６ｅとなり、支持板１４の最も高い支持部１４ｅの高さと同じ高さとなっている。各支持板１４，１５，１６は、各支持部１４ｅ，１５ｅ，１６ｅにより複数の踏板４のうちのいずれかの踏板４の端部を、その設置高さで支持可能になっている。
【００１９】
図１に示すように、廻り階段用壁材２は、各外側壁板１１，１２，１３が縁部１８，１８で直角をなす角度に折り曲げられ、廻り階段の廻り部の外側を形成するよう設置されている。廻り階段用壁材２は、各外側壁板１１，１２，１３が階下の床面から階上の床面まで上下方向に伸びるよう設けられる。
【００２０】
内側壁材３は、所定の厚さを有するパネル状を成し、廻り階段の廻り部の内側に、階下の床面から階上の床面まで上下方向に伸びるよう設けられる。内側壁材３には、室内側の面に板状の踏板支持材（図示せず）が接着剤または釘等で貼り付けられている。踏板支持材は、上端部に段状に形成された支持部を有している。その支持部は、廻り階段用壁材２と内側壁材３とを施工したとき、各支持部１４ｅ，１５ｅ，１６ｅに対応する高さとなる。踏板支持材は、各踏板４の一端を各支持部１４ｅ，１５ｅ，１６ｅに載せたとき、各踏板４を水平にして各踏板４の他端を支持可能である。
【００２１】
図１に示すように、各踏板４は、矩形状や三角形状、四角形状など、様々な平面形状を成している。各踏板４は、各支持板１４，１５，１６の各支持部１４ｅ，１５ｅ，１６ｅに一端を載せ、踏板支持材に他端を載せて、水平に設置されている。各踏板４は、両端が各支持部１４ｅ，１５ｅ，１６ｅおよび踏板支持材により支持され、釘等で固定されている。
【００２２】
図１および図２に示す具体的な一例では、階段の幅が１ｍで、中央の外側壁板１１の幅が約２ｍである。中央の支持板１４は、長さが約２ｍで、３つの支持部１４ｅを有している。支持板１５は、長さが１ｍで、２つの支持部１５ｅを有している。支持板１６は、長さが１ｍである。
【００２３】
次に、作用について説明する。
廻り階段構造１は、以下のようにして施工される。まず、廻り階段用壁材２の各外側壁板１１，１２，１３を縁部１８で直角をなす角度に折り曲げて、廻り階段の施工位置に合わせて設置する。内側壁材３を廻り階段用壁材２に位置を合わせて設置する。次に、複数の踏板４を各支持板１４，１５，１６および内側壁材３の踏板支持材の上に載せる。各踏板４の一端を各支持板１４，１５，１６の各支持部１４ｅ，１５ｅ，１６ｅで支持し、各踏板４の他端を内側壁材３の踏板支持材の支持部で支持する。支持された各踏板４を各支持部１４ｅ，１５ｅ，１６ｅおよび内側壁材３の踏板支持材に釘等で固定する。
【００２４】
このように、踏板４の支持部１４ｅ，１５ｅ，１６ｅを有する支持板１４，１５，１６が各壁板１１，１２，１３に貼り付けられているため、壁板１１，１２，１３の施工により踏板４を容易に位置決めして取り付けることができ、廻り階段の施工が容易である。このため、廻り階段の施工に熟練を要さず、また、廻り階段施工の工期を短縮することができる。さらに、各壁板１１，１２，１３をそれぞれ重なるよう縁部１８，１８で室外側に折り畳んで運搬を容易にすることができる。また、支持板１４，１５，１６の上端部１４ｄ，１５ｄ，１６ｄを支持部１４ｅ，１５ｅ，１６ｅとすることにより、支持部１４ｅ，１５ｅ，１６ｅの加工が容易である。廻り階段構造１は、階段の施工を合理化することができ、階段を容易に完成させることができる。
【００２５】
廻り階段構造１は、各外側壁板１１，１２，１３の下端縁部が縁部１８に垂直な同一平面上にあるため、下端縁部の設置位置を決めることにより、各踏板４の設置位置が自動的に決まり、容易に施工することができる。
【図面の簡単な説明】
【００２６】
【図１】本発明の実施の形態の廻り階段用壁材および廻り階段構造を示す斜視図である。
【図２】図１に示す廻り階段用壁材を示す正面図である。
【図３】図１に示す廻り階段用壁材の使用状態を示す一部を拡大した平面図である。
【符号の説明】
【００２７】
１    廻り階段構造
２    廻り階段用壁材
３    内側壁材
４    踏板
１１，１２，１３  外側壁板
１４，１５，１６  支持板
１７  シート材
１８  縁部
【図１】
2008127921.tif 000003
【図２】
2008127921.tif 000004
【図３】
2008127921.tif 000005